(57)【要約】【課題】  挿入した針金や棒等を摘みに引っ掛け、或いは押すなどによるサムターン摘みの不正解錠を阻止するとともに、一般のサムターンと同様な良好な操作性を確保する。【解決手段】  防犯サムターン１００において、扉の屋内側の面に固定される固定筒２１と、固定筒２１の内部に回転自在且つ軸線方向に移動自在となるとともに偏芯可能に内設されカップ部５３を有するサムターンコア４５と、屋内側に突出する枠部７１を有した枠状摘み６７と、カップ部５３に形成される一対の側部テーパ溝５５及び底部テーパ溝５９と、枠状摘み６７に揺動自在に支持され側部テーパ溝５５及び底部テーパ溝５９に係合する係合脚８３を先端に有した一対の揺動摘み板７５と、一対の揺動摘み板７５の摘み部８１を離反方向に付勢することで側部テーパ溝５５に対する係合脚８３の係合を解除する摘みバネ９１とを設けた。【選択図】      図５
2005054455.tif 000002
【特許請求の範囲】
【請求項１】
錠箱を備えた扉の屋内側の面に固定される固定筒と、
該固定筒の内部に回転自在且つ軸線方向に移動自在となるとともに偏芯可能に内設され先端部を前記錠箱の施解錠機構に係合させ基端に有底筒状のカップ部を有するサムターンコアと、
該サムターンコアを基端側に付勢して前記固定筒の軸線上に姿勢保持させるコアバネと、
前記固定筒の基端側に回転自在に内設され屋内側に突出する枠部を有した枠状摘みと、
前記カップ部の軸線を挟む対面に形成され軸線に沿って延在するとともに溝断面形状が溝開口側に向かって広がる一対の側部テーパ溝と、
前記カップ部の底面に直径方向で形成されて該一対の側部テーパ溝を連結し溝断面形状が溝開口側に向かって広がる底部テーパ溝と、
前記枠状摘みに揺動自在に支持され前記枠部の内側で揺動する摘み部を基端に有し前記カップ部の側部テーパ溝及び底部テーパ溝に係合する係合脚を先端に有した一対の揺動摘み板と、
該一対の揺動摘み板の前記摘み部を離反方向に付勢することで前記側部テーパ溝に対する前記係合脚の係合を解除する摘みバネと、
を具備したことを特徴とする防犯サムターン。
【発明の詳細な説明】
【技術分野】
【０００１】
本発明は、扉の施解錠操作に用いられるサムターンの回転操作力を有効又は無効にして防犯性の向上を図る防犯サムターンに関する。
【背景技術】
【０００２】
住宅やマンションの玄関扉、或いは事務所の入口扉には一般的に錠箱が設けられ、錠箱は扉木口から進退させたデッドボルトを扉枠に係合・係合解除させて、扉を施解錠する施解錠機構を内蔵している。この錠箱は、扉屋外のシリンダー錠、扉屋内側のサムターンに連結され、屋外側からはシリンダー錠による施解錠操作力、屋内側からはサムターンによる施解錠操作力の入力によって施解錠動作される。すなわち、屋外側からはシリンダー錠の合鍵による操作が必要になる一方、屋内側からは合鍵を用いずにサムターン摘みのみの回転操作で簡便に施解錠が行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、施解錠が容易に可能となる。
【０００４】
ところが、近年、ポスト口や、機械工具によって開けた小さな穴から棒や針金等を挿入し、回転操作の容易なサムターンに引っ掛け、或いは押して回転させ、施錠装置を解錠する不正解錠が増えている。このようなサムターンに針金等を係止して回転させることを防止するものに例えば下記特許文献２に開示されるサムターン用防犯カバーがある。
【０００５】
この防犯カバーは、サムターンが嵌入する嵌入孔を有するとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられている。このような構成からなる防犯カバーは、嵌入孔にサムターンを挿入して、サムターンを覆うように防犯カバーを被せる。その後セットスクリューを螺入させて締め付けることで、防犯カバーをサムターンに固定する。従って、サムターンに被せた防犯カバーによって、針金等を係止させて回転させることが難しくなる。
【０００６】
また、上記した防犯カバーの別態様として、防犯カバーを、取付部及び本体部から構成したものが開示されている。取付部は、上記の防犯カバーの外形を手での操作が容易となるように形成し、本体部が係止する係止突部を設けている。取付部は、サムターンに被せた状態で、サムターンを容易に回転させることができる。また、本体部は、係止突部に係止可能な係止部を有している。このようにすることで、係止作業という簡単な作業で、防犯カバーの着脱が行える。さらに係止部で本体部が空転することにより、針金等を係止させて回転させることが不可能となる。
【特許文献１】特公平２−１５７１５号公報  （第１図ｂ，第１図ｃ）
【特許文献２】実公平４−４０３６２号公報
【発明の開示】
【発明が解決しようとする課題】
【０００７】
しかしながら、上記した従来の防犯カバーは、外形が円筒体形状であるため、従来の摘み操作が行えず、操作性が低下するとともに、サムターンに被せた場合、本来小判形状等であることからその回転位置によって視認できたサムターンの施錠状態又は非施錠状態を視認不能にしてしまい、これによっても施解錠の操作性を低下させる問題があった。
また、サムターンを回転操作可能にする取付部と、この取付部に対し空転し、且つ着脱可能となる本体部とから構成されているため、脱着した本体部の保管管理が煩雑となり、本体部を紛失する虞もあった。
【０００８】
本発明は上記状況に鑑みてなされたもので、挿入した針金や棒等を摘みに引っ掛け、或いは押すなどすることによるサムターン摘みの不正解錠が阻止できるとともに、一般のサムターンと同様な良好な操作性が確保でき、しかも、一般のサムターンと同様に摘みの垂直・水平姿勢から施解錠状態が容易に視認可能となる防犯サムターンを得、サムターンの操作性を低下させることなく、防犯性の向上を図ることを目的とする。
【課題を解決するための手段】
【０００９】
次に、上記の課題を解決するための手段を、実施の形態に対応する図面を参照して説明する。
この発明の請求項１記載の防犯サムターン１００は、錠箱を備えた扉の屋内側の面に固定される固定筒２１と、
該固定筒２１の内部に回転自在且つ軸線方向に移動自在となるとともに偏芯可能に内設され先端部を前記錠箱の施解錠機構６３に係合させ基端に有底筒状のカップ部５３を有するサムターンコア４５と、
該サムターンコア４５を基端側に付勢して前記固定筒２１の軸線上に姿勢保持させるコアバネ６５と、
前記固定筒２１の基端側に回転自在に内設され屋内側に突出する枠部７１を有した枠状摘み６７と、
前記カップ部５３の軸線を挟む対面に形成され軸線に沿って延在するとともに溝断面形状が溝開口側に向かって広がる一対の側部テーパ溝５５と、
前記カップ部５３の底面５７に直径方向で形成されて該一対の側部テーパ溝５５を連結し溝断面形状が溝開口側に向かって広がる底部テーパ溝５９と、
前記枠状摘み６７に揺動自在に支持され前記枠部７１の内側で揺動する摘み部８１を基端に有し前記カップ部５３の側部テーパ溝５５及び底部テーパ溝５９に係合する係合脚８３を先端に有した一対の揺動摘み板７５と、
該一対の揺動摘み板７５の前記摘み部８１を離反方向に付勢することで前記側部テーパ溝５５に対する前記係合脚８３の係合を解除する摘みバネ９１と、
を具備したことを特徴とする。
【００１０】
この防犯サムターン１００では、通常時、一対の揺動摘み板７５が、摘みバネ９１の付勢力によって離反して配置され、その結果、それぞれの係合脚８３がカップ部５３の側部テーパ溝５５から外れるように配置されている。従って、針金により枠状摘みを引っ掛けて回したり、或いは棒により枠状摘み６７を押し回しするなどの不正操作が行われると、底部テーパ溝５９が係合脚８３からの反力を受けて先端側へと押し込められ、係合脚８３が底部テーパ溝５９から外れて、カップ部５３の内部で空転するのみとなる。これにより、枠状摘み６７の回転がサムターンコア４５に伝達されず、解錠操作が不能となる。また、針金や棒などで一方の揺動摘み板７５のみが揺動されて枠状摘み６７が不正操作されると、揺動した一方の係合脚８３のみが側部テーパ溝５５に係合するが、この状態で枠状摘み６７が回転されると、カップ部５３の側部テーパ溝５５が係合脚８３からの反力を受け、サムターンコア４５が偏芯して（傾いて）、係合脚８３が側部テーパ溝５５及び底部テーパ溝５９から外れることとなる。これにより、上記と同様に、係合脚８３がカップ部５３の内部で空転するのみとなり、枠状摘み６７の回転がサムターンコア４５に伝達されず、解錠操作が不能となる。
【００１１】
一方、通常操作時には、一対の揺動摘み板７５の摘み部を両面側から摘みながら回転操作すると、一対の係合脚８３が開脚して一対の側部テーパ溝５５に同時に係合する。つまり、一対の係合脚８３が、カップ部５３の内部で、突っ張った状態で側部テーパ溝５５に係合することとなり、サムターンコア４５が偏芯せず、且つ係合脚８３とサムターンコア４５とが一体回転可能な連結状態となる。従って、揺動摘み板７５を摘んで回す一般的なサムターンと同様の操作となり、従来同然の操作性が確保される。また、屋外側からの施解錠操作時には、カップ部５３の底部テーパ溝５９に一対の係合脚８３の先端が係合しているので、合鍵操作に連動してサムターンコア４５が回転すると、係合脚８３を介して枠状摘み６７が回転することとなり、一般的なサムターンと同様に、施解錠状態が屋内側から容易に視認可能となる。さらに、不正解錠操作が行われた後で、枠状摘み６７とサムターンコア４５との相対回転位置がずれていても、枠状摘み６７を適宜回転すれば、係合脚８３と、側部テーパ溝５５及び底部テーパ溝５９とが再び嵌りあって容易に復帰状態となり、再び施解錠状態が視認可能となる。
【発明の効果】
【００１２】
本発明に係る防犯サムターンによれば、一対の揺動摘み板が、摘みバネの付勢力によってそれぞれの係合脚をカップ部の側部テーパ溝から外れるように配置されているので、針金により枠状摘みを引っ掛けて回したり、或いは棒により枠状摘みを押し回しするなどの不正操作が行われても、係合脚が底部テーパ溝から外れて、カップ部の内部で空転するのみとなる。これにより、枠状摘みの回転がサムターンコアに伝達されず、解錠操作が不能となる。また、針金や棒などで一方の揺動摘み板のみが揺動されて枠状摘みが不正操作されると、揺動した一方の係合脚のみが側部テーパ溝に係合し、この状態で枠状摘みが回転されると、カップ部の側部テーパ溝が係合脚からの反力を受け、サムターンコアが偏芯して、係合脚が側部テーパ溝から外れることとなる。これにより、上記と同様に、係合脚がカップ部の内部で空転するのみとなり、枠状摘みの回転がサムターンコアに伝達されず、解錠操作が不能となる。
【００１３】
一方、通常操作時には、揺動摘み板の摘み部を摘みながら回転操作する一般的なサムターンと同様の操作となり、従来同然の操作性を確保することができる。また、屋外側からの施解錠操作時には、カップ部の底部テーパ溝に一対の係合脚の先端が係合しているので、合鍵操作に連動して枠状摘みが回転することとなり、一般的なサムターンと同様に、施解錠状態が屋内側から容易に視認可能となる。
【発明を実施するための最良の形態】
【００１４】
以下、本発明に係る防犯サムターンの好適な実施の形態を図面を参照して詳細に説明する。
図１は本発明に係る防犯サムターンの一部を切欠いた分解側面図、図２は枠状摘み、揺動摘み板及びサムターンコアの分解斜視図、図３は（ａ）にカップ部の正面視、（ｂ）に一部を切欠いた側面視、（ｃ）に９０度回転させた状態の側面視を表したサムターンコアの説明図、図４は（ａ）に側面視、（ｂ）に平面視、（ｃ）に正面視を表した揺動摘み板の説明図、図５は係合脚が閉脚した通常状態における防犯サムターンの縦断面視を（ａ）、カップ部の正面視を（ｂ）に表した構成図、図６は図５に直交する断面の横断面視を（ａ）、カップ部の正面視を（ｂ）に示した構成図である。
【００１５】
本実施の形態による防犯サムターン１００が取付けられる図示しない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠を合鍵（キー）によって、又は扉の屋内側の面に設けられたサムターン摘み（以下、「枠状摘み」とも称す）を回動することによって扉の木口から進退可能となっている。。
【００１６】
扉又は錠箱には固定筒２１が固定される。固定筒２１の軸線方向一端側の外周には一対の固定部２３，２３が突設され、固定部２３，２３は固定穴２５を有している。固定筒２１は、扉内に設けられた錠箱にこの固定穴２５を介して固定される。なお、以下では、説明の都合上、防犯サムターン１００の錠箱側を先端側、防犯サムターン１００の屋内側を基端側として説明を行う。
【００１７】
固定筒２１の基端面には掛止リング２７が配置され、掛止リング２７は固定筒２１の基端に外挿されるスペーサリング２９によって保持される。掛止リング２７は、中央穴３１を有した飾り筒３３がさらにスペーサリング２９の外周に被せられることで固定される。この飾り筒３３の外周側となる固定筒２１の基端部には、基端が平坦な円錐形状の化粧リング３５が外装される。化粧リング３５は、先端の折り曲げ部３５ａと、飾り筒３３の先端面との間に配設されたバネ３７の付勢力によって先端縁３５ｂが扉の屋内面に押付けられる。
【００１８】
固定筒２１の先端側の内部には、内部に挿通穴４１を有した鍔部４３が突設される。この鍔部４３の挿通穴４１には、サムターンコア４５が挿通される。サムターンコア４５は、先端側に、錠箱の施解錠機構と係合する断面十字形状の入出力部４７が形成されている。入出力部４７に連設される軸部４９の外周には、抜止溝５１が形成されている。軸部４９の基端側には、この軸部４９より大外径の有底筒状のカップ部５３が連設され、カップ部５３は基端面が開口される。
【００１９】
図３に示すように、カップ部５３の内部には、軸線を挟む対面に形成され軸線に沿って延在する一対の側部テーパ溝５５，５５が設けられている。この側部テーパ溝５５，５５は、溝断面形状が溝開口側に向かって広がる。また、カップ部５３の底面５７には、直径方向で底部テーパ溝５９が形成されている。この底部テーパ溝５９は、溝断面形状が溝開口側に向かって広がるテーパ溝となり、且つ上記一対の側部テーパ溝５５，５５を連結している。つまり、カップ部５３の内部には、内周面及び底面５７に亘ってコ字状に溝が形成されている。
【００２０】
このサムターンコア４５は、固定筒２１の鍔部４３に、軸部４９を挿通し、鍔部４３から突出した先端側の軸部４９の抜止溝５１に、抜止リング６１を嵌着することで、軸線方向に移動自在に支持される。鍔部４３の挿通穴４１は、サムターンコア４５を遊びのある状態で嵌めている。これにより、サムターンコア４５は、固定筒２１の内部で、回転自在且つ軸線方向に移動自在となるとともに偏芯可能（軸線に対して傾き可能）となっている。サムターンコア４５の入出力部４７は、偏芯状態においても、錠箱の施解錠機構６３（図５参照）との係合状態が維持されるようになっている。
【００２１】
鍔部４３とカップ部５３との間の軸部４９には、コアバネ６５が外挿され、コアバネ６５はサムターンコア４５を基端側へと付勢している。つまり、サムターンコア４５は、先端側へ押込み自在となっている。
【００２２】
固定筒２１の基端側には枠状摘み６７が回転自在に取り付けられる。枠状摘み６７は、先端側に複数の係止爪６９を有し、係止爪６９が掛止リング２７に掛止することで、回転自在且つ抜脱不能に取り付けられている。枠状摘み６７には屋内側に突出する枠部７１が形成され、枠部７１は上下方向に貫通した矩形の透孔となる。
【００２３】
枠状摘み６７には一対の軸穴７３，７３が穿設されている。また、この枠状摘み６７には一対の揺動摘み板７５，７５が揺動自在に保持される。それぞれの揺動摘み板７５，７５の略中央部には、軸穴７７が穿設され、揺動摘み板７５，７５は枠状摘み６７の軸穴７３，７３に挿通した揺動軸７９，７９を、この軸穴７７に貫通させることで先端側、基端側が揺動自在となる。一対の揺動摘み板７５，７５は、枠状摘み６７と一体に回転する。
【００２４】
揺動摘み板７５，７５の基端側には、図４に示すように、矩形板状の摘み部８１が形成され、摘み部８１は枠状摘み６７の枠部７１内方に上下動自在に配置される。揺動摘み板７５，７５の先端側には、係合脚８３が形成され、それぞれの係合脚８３はサムターンコア４５のカップ部５３内に配置される。係合脚８３のカップ部５３内面に対向する側部には、カップ部５３の内面に向かって幅狭となる側部傾斜面８５が形成される。また、係合脚８３の先端側には、カップ部５３の底面５７に向かって幅狭となる先端傾斜面８７が形成される。
【００２５】
図５に示すように、側部傾斜面８５は、カップ部５３の側部テーパ溝５５，５５に進入可能となり、先端傾斜面８７は、カップ部５３の底部テーパ溝５９に進入している。
【００２６】
摘み部８１の対向面にはバネ収容凹部８９，８９が形成され、バネ収容凹部８９，８９には摘みバネ９１が嵌められている。この摘みバネ９１は、一対の摘み部８１，８１を離反方向に付勢する。摘みバネ９１によって摘み部８１，８１が離反方向に付勢された揺動摘み板７５，７５は、係合脚８３，８３が接近方向に移動され、図５，図６に示すように、係合脚８３の側部傾斜面８５が、カップ部５３の側部テーパ溝５５，５５から外れた状態となっている。なお、この状態においても、係合脚８３の先端傾斜面８７は、カップ部５３の底部テーパ溝５９に係合し、施解錠機構からの回転力をサムターンコア４５へ伝達可能としている。
【００２７】
このような構成を有する防犯サムターン１００の作用を説明する。
図７は係合脚が閉脚状態での回転開始状況を表す動作説明図、図８は係合脚が底部テーパ溝から外れて回転終了した状況を表す動作説明図、図９は一方の揺動摘み板のみが揺動された状況を表す動作説明図、図１０は一方の揺動摘み板が揺動された状態で枠状摘みが回転された状況の動作説明図、図１１は一方の揺動摘み板が揺動された状態で回転が終了した状況の動作説明図、図１２は一対の揺動摘み板が同時に揺動された状況の動作説明図である。
【００２８】
防犯サムターン１００は、例えば枠状摘み６７のみが回転された場合、図６に示すように、係合脚８３の側部傾斜面８５が、カップ部５３の側部テーパ溝５５，５５から外れ、係合脚８３の先端傾斜面８７のみがカップ部５３の底部テーパ溝５９に進入しているため、底部テーパ溝５９が先端傾斜面８７からの反力を受け、図７に示すように、係合脚８３が底部テーパ溝５９から外れるとともに、サムターンコア４５がコアバネ６５の付勢力に抗して先端側へと押し込められる。この結果、係合脚８３は、カップ部５３の内周面に摺接しながら空転することとなる。
【００２９】
つまり、枠状摘み６７の回転操作力は、サムターンコア４５に伝達されず、枠状摘み６７のみが回転して図８に示す状態となる。この状態で、サムターンコア４５は、先端側へδだけ移動した状態となる（図８（ａ）参照）。
【００３０】
一方、図９に示すように、針金や棒等により、引っ掛け回し、或いは押し回しが行われると、一方の揺動摘み板７５のみが揺動され、揺動された側の係合脚８３のみが側部テーパ溝５５に進入する。この状態で枠状摘み６７に回転モーメントが加わると、側部テーパ溝５５が係合状態の係合脚８３から反力を受け、サムターンコア４５が、図１０に示すように、偏芯される（逃げる）。この結果、係合脚８３は、側部テーパ溝５５から外れ、カップ部５３の内部で回転し、図１１に示すように、カップ部５３の内周面に摺接してサムターンコア４５を偏芯させながら、空転するのみとなる。
【００３１】
また、図１２に示すように、正規の回動操作により、一対の揺動摘み板７５，７５が両面側から摘まれると、一対の揺動摘み板７５，７５が同時に揺動され、それぞれの係合脚８３の側部傾斜面８５が、カップ部５３の一対の側部テーパ溝５５，５５に略同時に進入し、且つ係合脚８３の先端傾斜面８７がカップ部５３の底部テーパ溝５９に進入した状態となる。この状態で枠状摘み６７が回転されると、サムターンコア４５は、固定筒２１の軸芯から偏芯することなく回転され、枠状摘み６７の回転力がサムターンコア４５に伝達されることとなる。この結果、枠状摘み６７の回転操作力がサムターンコア４５を介して錠箱の施解錠機構６３へ入力され、施解錠が可能となる。
【００３２】
不正解錠操作が行われた後で、枠状摘み６７とサムターンコア４５との相対回転位置がずれていても、枠状摘み６７を適宜回転すれば、係合脚８３と、側部テーパ溝５５及び底部テーパ溝５９とが再び嵌りあって容易に復帰状態となり、再び施解錠状態が視認可能となる。
【００３３】
従って、上記防犯サムターン１００によれば、針金により枠状摘み６７を引っ掛けて回したり、或いは棒により枠状摘み６７を押し回しするなどの不正操作が行われると、係合脚８３が底部テーパ溝５９から外れて、カップ部５３の内部で空転するのみとなる。これにより、枠状摘み６７の回転がサムターンコア４５に伝達されず、解錠操作が不能となる。また、針金や棒などで一方の揺動摘み板７５のみが揺動されて枠状摘み６７が不正操作されると、揺動した一方の係合脚８３のみが側部テーパ溝５５に係合するが、この状態で枠状摘み６７が回転されると、カップ部５３の側部テーパ溝５５が係合脚８３からの反力を受け、サムターンコア４５が偏芯して（傾いて）、係合脚８３が側部テーパ溝５５及び底部テーパ溝５９から外れることとなる。これにより、上記と同様に、係合脚８３がカップ部５３の内部で空転するのみとなり、枠状摘み６７の回転がサムターンコア４５に伝達されず、解錠操作が不能となる。
【００３４】
一方、通常操作時には、一対の揺動摘み板７５の摘み部８１を両面側から摘みながら回転操作すると、一対の係合脚８３が開脚して一対の側部テーパ溝５５に同時に係合する。つまり、一対の係合脚８３が、カップ部５３の内部で、突っ張った状態で側部テーパ溝５５に係合することとなり、サムターンコア４５が偏芯せず、且つ係合脚８３とサムターンコア４５とが一体回転可能な連結状態となる。従って、揺動摘み板７５，７５を摘んで回す一般的なサムターンと同様の操作となり、従来同然の操作性が確保される。また、屋外側からの施解錠操作時には、カップ部５３の底部テーパ溝５９に一対の係合脚８３の先端が係合しているので、合鍵操作に連動してサムターンコア４５が回転すると、係合脚８３を介して枠状摘み６７が回転することとなり、一般的なサムターンと同様に、施解錠状態が屋内側から容易に視認可能となる。
【図面の簡単な説明】
【００３５】
【図１】本発明に係る防犯サムターンの一部を切欠いた分解側面図である。
【図２】枠状摘み、揺動摘み板及びサムターンコアの分解斜視図である。
【図３】（ａ）にカップ部の正面視、（ｂ）に一部を切欠いた側面視、（ｃ）に９０度回転させた状態の側面視を表したサムターンコアの説明図である。
【図４】（ａ）に側面視、（ｂ）に平面視、（ｃ）に正面視を表した揺動摘み板の説明図である。
【図５】係合脚が閉脚した通常状態における防犯サムターンの縦断面視を（ａ）、カップ部の正面視を（ｂ）に表した構成図である。
【図６】図５に直交する断面の横断面視を（ａ）、カップ部の正面視を（ｂ）に示した構成図である。
【図７】係合脚が閉脚状態での回転開始状況を表す動作説明図である。
【図８】係合脚が底部テーパ溝から外れて回転終了した状況を表す動作説明図である。
【図９】一方の揺動摘み板のみが揺動された状況を表す動作説明図である。
【図１０】一方の揺動摘み板が揺動された状態で枠状摘みが回転された状況の動作説明図である。
【図１１】一方の揺動摘み板が揺動された状態で回転が終了した状況の動作説明図である。
【図１２】一対の揺動摘み板が同時に揺動された状況の動作説明図である。
【符号の説明】
【００３６】
２１…固定筒
４５…サムターンコア
５３…カップ部
５５…側部テーパ溝
５９…底部テーパ溝
６３…施解錠機構
６５…コアバネ
６７…枠状摘み
７１…枠部
７５…揺動摘み板
８１…摘み部
８３…係合脚
９１…摘みバネ
１００…防犯サムターン
【図１】
2005054455.tif 000003
【図２】
2005054455.tif 000004
【図３】
2005054455.tif 000005
【図４】
2005054455.tif 000006
【図５】
2005054455.tif 000007
【図６】
2005054455.tif 000008
【図７】
2005054455.tif 000009
【図８】
2005054455.tif 000010
【図９】
2005054455.tif 000011
【図１０】
2005054455.tif 000012
【図１１】
2005054455.tif 000013
【図１２】
2005054455.tif 000014